(57)【要約】【課題】部品点数を減らし、構造が簡単で安価なガス絶縁計器用変圧器を提供する。【解決手段】鉄心１を保持する端枠部材２と、上記鉄心の一次コイルとの対向部側に延在して設けられた低圧シールドとを備え、絶縁ガス中に密封収容されるガス絶縁計器用変圧器において、上記端枠部材は、上記鉄心の積層方向端部に当接する押圧部２ａと、この押圧部の上記一次コイル側端部から鉄心の積層方向に伸びて形成された延伸部２ｂと、この延伸部の延伸端部に形成された電界緩和部Ｒ２とが一体的に形成され、上記端枠部材２が上記低圧シールドを兼ねるように構成したものである。【選択図】　　　　　図１
2004119908.tif 000002
【特許請求の範囲】
【請求項１】
ループ状に積層され該ループの一部に一次コイルおよび二次コイルが巻回された鉄心と、この鉄心の積層方向端部に配設され該鉄心を保持する端枠部材と、上記鉄心の上記一次コイルとの対向部側に延在して設けられた低圧シールドとを備え、絶縁ガス中に密封収容されたガス絶縁計器用変圧器において、上記端枠部材は、上記鉄心の積層方向端部に当接する押圧部と、この押圧部の上記一次コイル側端部から鉄心の積層方向に伸びて形成された延伸部と、この延伸部の延伸端部に設けられた電界緩和部とが一体的に形成され、上記端枠部材が上記低圧シールドを兼ねてなることを特徴とするガス絶縁計器用変圧器。
【請求項２】
上記端枠部材は、金属板をプレス成形したものであることを特徴とする請求項１記載のガス絶縁計器用変圧器。
【請求項３】
上記一次コイルは、少なくとも片面に熱硬化性樹脂の接着層が塗布された絶縁フィルムと、一次巻線とが、内周から外周にかけて徐々に幅が狭くなる様に断面台形状に巻回されてなることを特徴とする請求項１または請求項２記載のガス絶縁計器用変圧器。
【発明の詳細な説明】
【０００１】
【発明の属する技術分野】
この発明は、例えば電力系統の発変電分野等で好ましく用いることができるガス絶縁計器用変圧器に関するものである。
【０００２】
【従来の技術】
従来のガス絶縁計器用変圧器においては、積層鉄心の積層方向の両端部に端枠部材（締付金具）を配設し、締結具で該鉄心を締め付け保持する一方、別途用意された低圧シールド部材をコイルが設けられていない部分でボルトなどを用いて端枠部材に取り付けていた。この低圧シールド部材は、締結具および鉄心と共にワンターンを構成しないように分割スリットで分割され、該分割スリットの両端部は、絶縁固定カラーの各嵌合溝に嵌合して位置決め固定されている（例えば、特許文献１参照。）。
【０００３】
【特許文献１】
実開平５−６６９４９号公報（第３−４頁、図４、図５）
【０００４】
【発明が解決しようとする課題】
上記のように構成された従来のガス絶縁計器用変圧器においては、コイルが設けられていない部分の鉄心の電界緩和を図るために、低圧シールド部材を端枠部材にボルトにて取り付け、さらに低圧シールド部材同士をワンターン防止のため分割する分割スリットを設け、分割スリット両端部を絶縁固定カラーの各嵌合溝で位置決めする構成となっており、低圧シールド部材、ボルト、絶縁固定カラーといった部品が必要であり、部品点数が多くなるといった課題があった。
【０００５】
この発明は、上記のような従来技術の課題を解消するためになされたもので、部品点数を減らし、構造が簡単で安価なガス絶縁計器用変圧器を提供することを目的としている。
【０００６】
【課題を解決するための手段】
この発明によるガス絶縁計器用変圧器は、ループ状に積層され該ループの一部に一次コイルおよび二次コイルが巻回された鉄心と、この鉄心の積層方向端部に配設され該鉄心を保持する端枠部材と、上記鉄心の上記一次コイルとの対向部側に延在して設けられた低圧シールドとを備え、絶縁ガス中に密封収容されたガス絶縁計器用変圧器において、上記端枠部材は、上記鉄心の積層方向端部に当接する押圧部と、この押圧部の上記一次コイル側端部から鉄心の積層方向に伸びて形成された延伸部と、この延伸部の延伸端部に設けられた電界緩和部とが一体的に形成され、上記端枠部材が上記低圧シールドを兼ねてなるものである。
【０００７】
【発明の実施の形態】
実施の形態１．
以下、この発明の実施の形態１を図面に基づいて説明する。なお、各図を通じて、同一符号は同一、または相当部分を示している。
図１、図２、および図３は、この発明の実施の形態１によるガス絶縁計器用変圧器の要部を模式的に示す図であり、図１は一部断面正面図、図２は図１のＩＩ−ＩＩ線における矢視断面図、図３は図１のＩＩＩ−ＩＩＩ線における矢視断面図である。図に示すように、ループ状に積層され閉磁路が形成された鉄心１の積層方向一端部および他端部には、端枠部材２が対称的に配設され、この端枠部材２と上記鉄心１を貫通するボルト３ａとナット３ｂからなる締結具３によって、鉄心１が締め付けられ、保持されている。
【０００８】
上記端枠部材２は、図２に示すように断面略コ字形ないしはＬ字形に例えば金属の板状材料をプレス成形することによって形成され、上記鉄心１の積層方向端部に当接する押圧部２ａと、この押圧部２ａの一次コイル４側（図２の上方側）端部から略直角に折曲され鉄心１の積層方向（図２の左右方向）に伸びて一次コイル４ないしは高圧シールド６に対向する延伸部２ｂと、この延伸部２ｂの延伸端部で図の下方向に折曲された折り返し部２ｃとが一体に形成されている。
【０００９】
また、端枠部材２の上記折曲部には、プレス成形時に施された曲げＲにより、電界緩和部Ｒ１およびＲ２が、上記一次コイル４の反対側に中心部を有する曲率をもって曲面状に形成されている。また、図１における鉄心１よりも上方における１次コイル４ないしは高圧シールド６との対向部分には、図３に示すような板状のシールド補助部材２ｄが、対向する２つの端枠部材２相互の間を塞ぐ如く設けられている。
【００１０】
なお、上記シールド補助部材２ｄは、一方（図の右側）の端枠部材２側に固定され、その非固定側端部は、対向する他方（図の左側）の端枠部材２に間隙をもって配置され、ワンターンを構成しないように設けられている。また、該シールド補助部材２ｄは、幅寸法が鉄心１の積層高さから上記間隙分を差し引いた小さな寸法で間に合うので、一方の端枠部材にのみ固定する片もち構造でも、支障なく機能させることができる。
【００１１】
さらに、鉄心１には図示を省略している巻芯のまわりに２次コイル５が巻回され、その外周に同様に図示を省略している円筒状に巻かれた導電性の接地シールドが設けられている。その接地シールドの外周に、図示を省略している一次巻線と絶縁フィルムを円筒の層状に巻き上げて１次コイル４が巻回され、この１次コイル４の外周側に高圧シールド６が設けられている。
【００１２】
上記構成になるガス絶縁計器用変圧器は、従来装置と同様に、例えばＳＦ６（六フッ化硫黄）ガスなどの絶縁ガスを充填した密閉容器に収容されて用いられるが、この点は従来と同様であるので説明を省略する。また、図１におけるｉｉ−ｉｉ線における矢視断面図は、図２のＩＩ−ＩＩ線における矢視断面図と略同様であるので図示を省略している。
【００１３】
上記のように構成された実施の形態１においては、鉄心１を保持する端枠部材２に高圧シールド６に対向する延伸部２ｂを設けるとともに、その先端部に１次コイル４と２次コイル５が設けられていない部分の鉄心１の電界を緩和するために、曲げＲを施した電界緩和部Ｒ２を形成することにより、該端枠部材２が低圧シールドの機能を兼ね備えている。従って、別途大きな低圧シールド部材や、これを固定するためのボルト、あるいは絶縁固定カラーといった部品が不要となり、その分組立工数を減らし、装置を小型化し、安価に提供することができる。
【００１４】
なお、上記実施の形態１においては、シールド補助部材２ｄとして１枚の板状部材を用い、これを図３に示すように、図の一方の端枠部材２に固着し、他方の端枠部材との間を離間させるようにした場合を示したが、これに限定されず、例えば、幅が図３のシールド補助部材２ｄの略半分の２枚の板状部材を用い、左右双方の端枠部材２に対称的にそれぞれ固着し、それら２枚のシールド材の中央部を離間させるように構成してもよい。
【００１５】
実施の形態２．
図４および図５は、この発明の実施の形態２になるガス絶縁計器用変圧器の要部を模式的に示す図であり、図４は一部断面正面図、図５は図４のＶ−Ｖ線における矢視断面図である。なお、図４のｖ−ｖ線における矢視断面図は、Ｖ−Ｖ線における矢視断面図（図５）と略同様であるので図示を省略している。図に示すように、この実施の形態２においては、１次コイル４０は、絶縁フィルムの片面或いは両面に熱硬化性樹脂の接着層が塗布され（何れも図示省略）、一次巻線と絶縁フィルムが内周から外周にかけて徐々に幅が狭くなる様に台形状（テーパ状）に巻回されている。その他の構成は上記実施の形態１と同様であるので説明を省略する。
【００１６】
上記１次コイル４０の外周部における幅寸法は、上記図１の実施の形態１に示すものと同様である。一方、巻心部の幅寸法Ｗは、上記外周部における幅寸法よりも大きく形成されているので、同一巻数の場合、コイルの外径を小さくすることができ、図４の高さＨを小さくすることができる。従ってガス絶縁計器用変圧器自体の大きさを、より小型化することができる。
【００１７】
上記のように、実施の形態２によれば、別途大型の低圧シールド部材や、これを固定するためのボルト、あるいは絶縁固定カラーといった部品が不要となることに加えて、１次コイルを断面台形状ないしはテーパ状にしたことにより、装置を一層小型化し、さらに安価に提供することができるという効果が得られる。
【００１８】
ところで、上記実施の形態の説明では、端枠部材２をプレス成形により加工する場合を例に説明したが、これに限定されるものでないことは勿論である。例えば、アングル材のように角のあるものを削ってＲ加工することなども差し支えない。また、上記実施の形態における伸長部２ｂの長さ、電界緩和部Ｒ１、Ｒ２の曲率あるいは形成方法などは、高圧シールド６等の高電圧側と、端枠部材２等の接地側との間での電気絶縁が保たれるように決められるもので、特に限定されるものではない。
【００１９】
例えば、電界緩和部Ｒ２の曲率は、実施の形態では板材をほぼ直角に折曲した場合に近い例を示したが、他の実施例として示す図６のように、曲率を更に大きくしても良く、この場合には、折り返し部２ｃを省いても差し支えない。
また、電界緩和部Ｒ１、Ｒ２の断面形状は円弧に限定されない。さらに鉄心１側の電界緩和部Ｒ１は図６に示すように必ずしも曲面でなく、省くようにしてもよい。その他、この発明の精神の範囲内で種々の変形や変更ができることは当然である。
【００２０】
【発明の効果】
以上説明したように、この発明によれば、端枠部材の鉄心押圧部の一次コイル側端部から鉄心の積層方向に伸びて延伸部を形成し、この延伸部の延伸端部に電界緩和部を一体的に形成することにより、上記端枠部材に低圧シールドの機能を兼ね備えさせることができ、低圧シールド部材などの部品点数を減らし、構造が簡単で安価なガス絶縁計器用変圧器を提供できるという効果がある。
【図面の簡単な説明】
【図１】実施の形態１によるガス絶縁計器用変圧器を模式的に示す一部縦断面図である。
【図２】図１のＩＩ−ＩＩ線における矢視断面図である。
【図３】図１のＩＩＩ−ＩＩＩ線における矢視断面図である。
【図４】実施の形態２によるガス絶縁計器用変圧器を模式的に示す一部縦断面図である。
【図５】図４のＶ−Ｖ線における矢視断面図である。
【図６】他の実施例による端枠部材の構成を示す断面図である。
【符号の説明】
１　鉄心、　２　端枠部材、　２ａ　押圧部、　２ｂ　延伸部、　２ｃ　折り返し部、　２ｄ　シールド補助部材、　Ｒ１、Ｒ２　電界緩和部、　３　締結具、　３ａ　ボルト、　３ｂ　ナット、　４、４０　１次コイル、　５　２次コイル、　６　高圧シールド。
【図１】
2004119908.tif 000003
【図２】
2004119908.tif 000004
【図３】
2004119908.tif 000005
【図４】
2004119908.tif 000006
【図５】
2004119908.tif 000007
【図６】
2004119908.tif 000008